Podtech/llm-jp-corpus-v4-ja_patent huggingface dataset:
(57)【要約】【課題】  従来よりお年寄りや病人など、体の不自由な人には生活補助としてまた介護用としてリフトやクレーンを利用した補助機械がある。しかしながら、上記のものは確かに高い所に格納できるため健常者である介護人にかかる負担は減り便利であるが、非介護人には高い所へ行けても何の利益もない、非介護人にとっては限定的である横の動きから解放されることこそが最大の利益といえる。【解決手段】  病人又は老人、身体不自由人の寝て居る上より吊具を取り付ける吊具であって、吊り上げた姿勢が車椅子、腰掛け、トイレ、御風呂などにマッチした腰かけ状態で釣り上げる吊具を発明した。【選択図】  図１
2010075536.tif 000002
【特許請求の範囲】
【請求項１】
病人又は老人、身体不自由人の寝て居る上より吊具を取り付ける吊具。
【請求項２】
釣り上げた姿勢が車椅子、腰掛け、トイレ、御風呂などにマッチした腰かけ状態で吊り上げる吊具。
【発明の詳細な説明】
【技術分野】
【０００１】
介護人が患者を抱きかかえて車いす又は運搬用ベッドに移動又御風呂トイレ等介護に利用する機能に関する。
【背景技術】
【０００２】
従来よりお年寄りや病人など、体の不自由な人には生活補助としてまた介護用としてリ
フトやクレーンを利用した補助機械がある、例えば一般的日本家屋に設置するためにでき
るだけ高い所に格納できるように工夫されたもの(特開2004-089427)、またレールごと天
井に取り付けたもの(特開2001-212187)などがある。
【特許文献１】特開2004-089427号広報
【特許文献２】特開2001-212187号広報
【発明の開示】
【発明が解決しようとする課題】
【０００３】
しかしながら、上記のものは確かに高い所に格納できるため健常者である介護人にかか
る負担は減り便利であるが、非介護人には高い所へ行けても何の利益もない、非介護人に
とっては限定的である横の動きから解放されることこそが最大の利益といえる。
【課題を解決するための手段】
【０００４】
老人または患者が寝たままの状態の上部より本吊具を取付バンドで固定し、車いすやトイレ等体をＮ字型に成るよう吊具を使用介護人の安全と重労働より開放し患者または老人も快適に行動できる。
【発明の効果】
【０００５】
本発明は介護人が老人または介護人を車いす又はトイレ風呂等に御世話する時その重量に耐えられず腰痛肩手足等の疾患にかかり心ならずもやめざるを得なくなる事を解決しその上さらに老人患者等がおしめ等をかわれたダメージ感を払しょくするために役立つ。
【発明を実施するための最良の形態】
【０００６】
まずバンド（ロープ）1、2、3、によって患者の体を固定する、リモコンにより寝ている患者又は老人の上半身を吊具によって起こす、安全を見てさらに上げるとＮ字型に吊り上がる、これをクレーンで車いす、トイレ、風呂等の上部に移動し、徐々におろしながら安定しましたらバンドを外し作業行い終了しましたら以上の逆の工程で実行します。
【０００７】
従来は介護人が非介護人を抱き上げて車椅子、トイレ、風呂に入れていたが、クレーンおよび吊具を使用することにより大幅に能率が上がり介護人１人で３人前の仕事が可能となった特殊吊具である。
図２から図９は吊具使用の工程を示す。
【０００８】
図面の説明をする、老人または病人を図２の状態にし、腹部に器具を装着、大腿部を腿部絞めロープ1で締め固定し、次に腰部絞めロープ３で腰部を締めて固定する。また胸部絞めロープ２で胸部を締め固定した後、Ｌ字型約６０度に曲げた吊穴４の先端に明けた穴に吊り金具のフックを取付けて図面４の状態にする。これで吊り上げると重心の関係で図面５の形に図のＺ状になり、移動して図６の様に車椅子に載せて、図７のように器具を外す。図８、図９も同様の作業で、トイレ、風呂などの介護が出来る。またベッドに戻る時は逆の工程で終わる。
【図面の簡単な説明】
【０００９】
【図１】本発明の全体図
【図２】本発明の使用状態を説明する図Ａ
【図３】本発明の使用状態を説明する図Ｂ
【図４】本発明の使用状態を説明する図Ｃ
【図５】本発明の使用状態を説明する図Ｄ
【図６】本発明の使用状態を説明する図Ｅ
【図７】本発明の使用状態を説明する図Ｆ
【図８】本発明の使用状態を説明する図Ｇ
【図９】本発明の使用状態を説明する図Ｈ
【符号の説明】
【００１０】
１  腿部絞めロープ
２  胸部絞めロープ
３  腰部絞めロープ
４  吊穴
５  座高調整ボルト
【図１】
2010075536.tif 000003
【図２】
2010075536.tif 000004
【図３】
2010075536.tif 000005
【図４】
2010075536.tif 000006
【図５】
2010075536.tif 000007
【図６】
2010075536.tif 000008
【図７】
2010075536.tif 000009
【図８】
2010075536.tif 000010
【図９】
2010075536.tif 000011
(57)【要約】【課題】片手が不自由な人が楽に衣類をハンガーに掛ける作業自体を楽にする。【解決手段】伸び縮みするスタンドと、スタンドの上端に固定されたクリップとを備え、クリップは、スタンドの上端に接合され、ハンガーの任意の一部を掴み、一時的にハンガーを固定支持するスリットを備えた。ハンガーの一部をクリップに固定して、スタンドを適当な高さに調整すると、片手で楽に衣服をハンガーに掛けられる。また、衣服の種類に応じて、ハンガーの別の部分をクリップに固定して、使いやすく利用できる。【選択図】図１
2010075363.tif 000002
【特許請求の範囲】
【請求項１】
伸び縮みするスタンドと、スタンドの上端に固定されたクリップとを備え、
前記クリップは、スタンドの上端でハンガーの任意の一部を掴み、一時的にハンガーを固定支持するスリットを備えたことを特徴とするハンガー掛けスタンド。
【請求項２】
請求項１に記載のハンガー掛けスタンドにおいて、
スタンドの下部に受け皿を固定したことを特徴とするハンガー掛けスタンド。
【請求項３】
請求項１または２に記載のハンガー掛けスタンドにおいて、
クリップのスリットは下方に向かって狭くなっていることを特徴とするハンガー掛けスタンド。
【発明の詳細な説明】
【技術分野】
【０００１】
本発明は、片手でハンガーに衣類を掛けるときの補助具に利用することができるハンガー掛けスタンドに関する。
【背景技術】
【０００２】
衣類をハンガーに掛けるときの作業性を考慮したハンガーやハンガー掛けが各種開発されている（特許文献１参照）（特許文献２参照）。
【特許文献１】特開２００７-２７５５２９号公報
【特許文献２】特開２００７-３００９６５号公報
【発明の開示】
【発明が解決しようとする課題】
【０００３】
既知の従来の技術には、次のような解決すべき課題があった。
通常、衣類をハンガーに掛けるには、片手でハンガーを持ち、もう片方の手で衣類を持つ。しかし、片手が不自由な人には困難な作業である。片手で使えるハンガーは、数多く考案されているが、作業自体を楽にする物ではなかった。
上記の課題を解決するために、本発明は、片手が不自由な人が楽に衣類をハンガーに掛ける作業自体を楽にするハンガー掛けスタンドを提供することを目的とする。
【課題を解決するための手段】
【０００４】
以下の構成はそれぞれ上記の課題を解決するための手段である。
〈構成１〉
伸び縮みするスタンドと、スタンドの上端に固定されたクリップとを備え、前記クリップは、スタンドの上端でハンガーの任意の一部を掴み、一時的にハンガーを固定支持するスリットを備えたことを特徴とするハンガー掛けスタンド。
【０００５】
〈構成２〉
構成１に記載のハンガー掛けスタンドにおいて、スタンドの下部に受け皿を固定したことを特徴とするハンガー掛けスタンド。
【０００６】
〈構成３〉
構成１または２に記載のハンガー掛けスタンドにおいて、クリップのスリットは下方に向かって狭くなっていることを特徴とするハンガー掛けスタンド。
【発明の効果】
【０００７】
〈構成１の効果〉
ハンガーの一部をクリップに固定して、スタンドを適当な高さに調整すると、片手で楽に衣服をハンガーに掛けられる。また、衣服の種類に応じて、ハンガーの別の部分をクリップに固定して、使いやすく利用できる。
〈構成２の効果〉
衣類の裾を支えて床等に触れないようにできる。
〈構成３の効果〉
細いハンガーから太いハンガーまで手持ちの物が使える。
【発明を実施するための最良の形態】
【０００８】
以下、本発明の実施の形態を実施例毎に詳細に説明する。
【実施例１】
【０００９】
図１は本発明のハンガー掛けスタンドの使用状態を示す正面図である。図２は、ハンガー掛けスタンドの側面図である。図３はハンガー掛けスタンドの上端部の拡大側面図である。
図のＴシャツは、スタンド上部が見えるように、輪郭だけを実線で示した。図において、１０はハンガーである。１２と１６は伸び縮みするスタンドである。１４はスタンド１２の上端に固定されているクリップである。クリップ１４はハンガー１０を挟む。
【００１０】
２５はスタンド１６に設けられた溝である。２７はスタンド１２に固定されたピンである。ピン２７はスタンド１２を回して押し下げると溝２５に沿って下がる。溝２５の下端にピン２７が止められる。例えば、以上の構造により、スタンド１２と１６とが伸縮する。なお、この伸縮構造は任意である。
【００１１】
１３はスタンド１２とクリップ１４とを接合する部品である。１５はビスである。１７はゴムである。１９はスリットである。即ち、クリップ１４のスリット１９はハンガー１０の任意の一部を掴み、一時的にハンガー１０を固定支持するためのものである。
【００１２】
２０はTシャツ２１の裾を支える受け皿である。受け皿２０はスタンド１６の下部に固定される。丁度衣類の裾を支えて土台１８や床に触れないようにする。１８はスタンドを固定する土台である。２１はハンガーを縦に使ったときのTシャツである。ハンガー１０をクリップ１４に固定することによって、片手で衣類を掛けられる。トレーナーやTシャツの場合は、ハンガー１０を上向きに立て、衣類の首の部分を通して形を整える。
【００１３】
図４は本発明のハンガー掛けスタンドの別の使用方法説明図である。
この例では、ハンガー１０をクリップ１４にななめに固定した。２３はこの状態で、使ったときのしたばきである。ズボンやももひき等は、ハンガー１０をななめに立て、衣類のウエスト部をハンガー１０の角に引っかけてはめ込む。スタンドの高さが調整できるので、丈の長い物でも腕を高く上げることなく、容易に取り外すことができ、また、座ったままでも作業することができる。
【００１４】
以上のように、本発明のハンガー掛けスタンドには、
１、クリップ１４はハンガー１０を自由な向きに支持できる。
だから、衣類を片手でかけられる。
２、スタンド１２、１６は伸び縮みする。
だから、腕を高く上げなくても、ハンガー１０を外すことができる。
座った状態でも作業できる。
３、受け皿２０は衣類が床につかないようにガードする。
だから、ネグリジェのような丈の長いものでも引きずらない。
４、クリップ１４のスリット１９は下方に向かって狭くなっている。
だから、細いハンガーから太いハンガーまで手持ちの物が使える。
【図面の簡単な説明】
【００１５】
【図１】本発明のハンガー掛けスタンドの使用状態を示す正面図である。
【図２】ハンガー掛けスタンドの側面図である。
【図３】ハンガー掛けスタンドの上端部の拡大側面図である。
【図４】本発明のハンガー掛けスタンドの別の使用方法説明図である。
【符号の説明】
【００１６】
１０  ハンガー
１２  スタンド
１３  接合部品
１４  クリップ
１５  ビス
１６  スタンド
１７  ゴム
１８  土台
１９  スリット
２０  受け皿
２１  Tシャツ
２３  したばき
２５  溝
２７  ピン
【図１】
2010075363.tif 000003
【図２】
2010075363.tif 000004
【図３】
2010075363.tif 000005
【図４】
2010075363.tif 000006
(57)【要約】【課題】男性用小便器の足元が汚れる為、使用者が不快な思いをしたり、衛生上良くない為、まめに清掃する必要があるが、せいぜい１回／日が限界である。  本発明は汚れの発生を防ぎ、かつ簡単に清掃できる小便の垂れ受けを提供する。【解決手段】吸水性のある紙製で、接着剤や両面テープ等の接着物で、男性用小便器に容易に取り付ける事が出来る構造を持ち、また容易に取り外せ、使い捨てができる小便の垂れ受け。【選択図】図１
2010075654.tif 000002
【特許請求の範囲】
【請求項１】
吸水性のある紙製で、接着剤や両面テープ等の接着物で、男性用小便器に容易に取り付ける事が出来る構造を持ち、また容易に取り外せ、使い捨てが出来る小便の垂れ受け。
【発明の詳細な説明】
【技術分野】
【０００１】  本発明は、トイレ掃除の簡素化に関するものである。
【背景技術】
【０００２】  男性用小便器周辺は、小便が外にこぼれ汚れている。
特に手前側には多くこぼれており、大勢が利用する小便器では、足元が汚れ使用者も不快で又衛生上良くない。
【発明の開示】
【発明が解決しようとしている課題】
【０００３】  男性用小便器の足元が汚れる為、使用者が不快な思いをしたり、衛生上良くない為、まめに清掃する必要があるが、せいぜい１回／日が限界である。
本発明は、以上の問題点を解決するためになされた物である。
【課題を解決するための手段】
【０００４】  吸水性のある紙製で、接着剤や両面テープ等の接着物で、男性用小便器に容易に取り付ける事が出来る構造を持ち、また容易に取り外せ、使い捨てが出来る小便の垂れ受け。
【発明の効果】
【０００５】  この発明により小便の垂れを防ぎ、又容易に汚れた部分を取り替えることが出来る為、使用者が不快な思いをせず、衛生上も問題がなくなる。
【発明を実施するための最良の形態】
【０００６】    以下、本発明の実施の形態を説明する。
（イ）給水性の良い紙製で、先端に行くほど細くなる形状を持っている（１）
（ロ）裏面に両面テープ等の接着物（２）を設ける
（ハ）接着物には使用前に他部へくっつかない様、はがせるシート（３）でカバーされている。
本発明は以上の様な構造である。
本発明を利用するときは、裏面接着部のシート（３）を取り外し、接着物（２）がくっつく状態にする。
その接着部を男性用小便器にくっつけ使用する。
【図面の簡単な説明】
【０００７】
【図１】本発明の表面図
【図２】本発明の裏面図
【図３】本発明の使用図
【符号の説明】
【０００８】  （１）小便吸収部、（２）接着物、（３）接着部をカバーするシート、（４）男性用小便器
【図１】
2010075654.tif 000003
【図２】
2010075654.tif 000004
【図３】
2010075654.tif 000005
(57)【要約】【課題】スケッチ・ブックを、三脚に装着した水平台に載せて、自由な線描と彩色が出来るようにすることを特徴とする、水彩スケッチ用三脚を提供する。【解決手段】２本の桟の中心部を桟結合軸で結び、十文字に開閉できるようにすると共に、桟結合軸を三脚の雲台取り付け部に固定することを特徴とする水彩スケッチ用三脚。【選択図】図１
2010075665.tif 000002
【特許請求の範囲】
【請求項１】
（ア）２本の桟を結合させる中心部に、桟結合軸となる結合ボルトを貫通させ、２本の桟が十文字に開閉できるようにし、折りたたみ可能にする。
桟を開き十文字にして水平台にしたとき、各桟の上辺が同一の高さになるよう、一方の桟の中心部に凹部を設け、他方の桟の凹部に嵌め込めるようにする。
（ウ）桟結合ボルトの下端をコマ状の中心部に埋め込んだコネクターのナットでネジ止めする。
（エ）スケッチ・ブックを十文字の水平桟に載せ、スケッチ・ブックの留め紐を一方の桟の紐掛け溝にかける。
この紐をスケッチ・ブックを押さえるように掛けて、他方の桟の紐掛け溝に引き絞って固定する。
以上の構成よりなる水彩スケッチ用三脚。
【発明の詳細な説明】
【技術分野】
【０００１】  本発明は、水彩スケッチに際して、スケッチ・ブックを水平に保持できる様にするため、携帯式のカメラ用三脚（以下三脚と言う）に、着脱可能な水平台を装着する水彩スケッチ用三脚に関するものである。
【背景技術】
【０００２】  従来、スケッチ用の携帯式画架は油絵用画架があるが、スケッチ画面は垂直に近く縦にして描かれている。
【発明の開示】
【発明が解決しようとする課題】
【０００３】  そのために、次のような問題点があった。
水彩画は画面が傾斜すれば、彩色した絵具が流れるので、スケッチ・ブックを水平に保つ必要がある。
水彩スケッチは殆どの場合、膝の上にスケッチ・ブックを載せて描かれている。
まれに紐を首にかける方式の画板を使うケースもある。
しかし、何れも手元過ぎて自由に線を描くのに無理があり、また、彩色は右手に絵筆、左手にパレットを持つので更に描き難くなる。
本発明は以上の問題点を解決するものである。
【課題を解決するための手段】
【０００４】（ア）２本の桟を結合させる中心部に、結合軸となる桟結合ボルトを貫通させ、２本の桟が十文字に開閉できるようにし、折りたたみ可能にする。
桟を開いて十文字にし、水平台にするとき、各桟の上辺が同一の高さになるよう、一方の桟の中心部に凹部を設け、他方の桟の凹部に嵌め込む。
（ウ）桟結合ボルトの下端をコマ状の中心部にナットを埋め込んだコネクターＡ型、またはＢ型でネジ止めする。
（エ）三脚の雲台を取り外し、雲台取付けボルトにコネクターＡ型をネジ止めして三脚に装着する。
または、三脚の雲台が上下パイプ・スライド方式のものは、パイプと一体の雲台を取り外し、同規格のパイプを取り付けたコネクターＢ型を三脚に装着する。
以上を特徴とする水彩スケッチ用三脚。
【発明の効果】
【０００５】  スケッチ・ブックを水平台に留めて、自由な線描と彩色が出来るようになる。
立居姿勢のスケッチが可能となる。
折りたたみ式のため小型軽量で携帯に便利である。
【図面の簡単な説明】
【０００６】
【図１】  本発明のＡ型の斜視図
【図２】  本発明のコネクターＡ型の取付け方説明図
【図３】  本発明のコネクターＢ型の取付け方説明図
【図４】  本発明のスケッチ・ブックの取付け方説明図
【発明を実施するための形態】
【０００７】  以下、本発明の実施の形態について説明する。
桟（１）と桟（２）を十文字に組み水平台にするとき、桟（１）と桟（２）の上辺が同一の高さになるよう、桟（１）及び桟（２）の中心部に凹部（４）を設ける。
桟（１）及び桟（２）を相互に凹部（４）に嵌め込めるようにする。
桟（１）と桟（２）を結合させる中心部に、結合軸となる桟結合ボルト（３）を貫通させ、桟（１）と桟（２）が十文字に開いたり閉じたりできるようにし、折りたたみ可能にする。
コネクターＡ型の場合、桟結合ボルト（３）の下端をコネクターＡ型（５）でネジ止めし、三脚の雲台取付けボルト（７）にコネクターＡ型（５）の下端をネジ止めする。
コネクターＢ型の場合、桟結合ボルト（３）の下端をコネクターＢ型（８）でネジ止めし、三脚の雲台スライド溝穴（９）にコネクターＢ型（８）のパイプ下端を嵌め込み、パイプ止めネジ（１０）で止める。
桟（１）と桟（２）の両端に紐掛け溝（１１）を設ける。
本発明は以上のような構成である。
これを使用するときは、
十文字に開いた水平桟にスケッチ・ブックを開いて載せる。
桟の一方の紐掛け溝（１１）にスケッチ・ブックの留め紐（１４）を掛ける。
スケッチ画面（１２）の下側になった厚手表紙（１３）に留め紐（１４）を押さえるように掛ける。
桟の他方の紐掛け溝（１１）に留め紐（１４）を掛ける。
紐留め具（１５）を通した紐を引絞ってスケッチ・ブックを固定する。
【符号の説明】
【０００８】    １  桟
２  桟
３  桟結合ボルト
４  桟凹部
５  コネクターＡ型
６  三脚
７  三脚の雲台取付けボルト
８  コネクターＢ型
９  三脚の雲台パイプ溝穴
１０  パイプ止めネジ
１１  紐掛け溝
１２  スケッチ画面
１３  スケッチ・ブック厚手表紙
１４  スケッチ・ブック留め紐
１５  紐留め具
【図１】
2010075665.tif 000003
【図２】
2010075665.tif 000004
【図３】
2010075665.tif 000005
【図４】
2010075665.tif 000006
(57)【要約】【課題】  本発明は、箸の太さに関係なく使用することができ、エコ爪楊枝も一緒に収納することができて、本体を広げることにより１枚の平面となり洗浄が簡単に清潔にできることを特徴とする箸先保護とエコ爪楊枝収納具を提供する。【解決手段】  扇状の本体（１）に折り目（２）、折り目（３）を設け、本体（１）に差込側部（４）を設け、折り目（５）を設け、本体（１）にエコ爪楊枝収納部（６）、差し込み口（７）を設けたことを特徴とする箸先保護とエコ爪楊枝収納具である。【選択図】図３
2010075643.tif 000002
【特許請求の範囲】
【発明の詳細な説明】
【技術分野】
【０００１】  本発明は、箸の太さに関係なく使用することができ、エコ爪楊枝も一緒に収納することができて、本体を広げることにより１枚の平面となり洗浄が簡単に清潔にできることを特徴とする箸先保護とエコ爪楊枝収納具に関するものである。
【技術背景】
【０００２】  現在、日本は、割り箸、爪楊枝の大量消費国であり、そのほとんどは、使い捨て状態である。
その結果。膨大な木材資源の浪費を続けている。
使い捨ての結果、ゴミの量を増加させ、焼却処理畤に発生する二酸化炭素は、環境保全と言う点で問題である。
箸を携帯するにあたって二酸化炭素が削減できることである。
【発明の開示】
【発明が解決しようとする課題】
【０００３】（イ）箸の太さがまちまちで、従来商品化されているものは、どの箸にも使用できるとは    限らない。
（ロ）エコを考える意味では、割り箸を使用しないのであれば、爪楊枝もエコ化しなけれ    ばならない。
（ハ）従来あるものは、洗浄時に器の隅が洗いづらく清潔面では、好ましくない。
本発明は以上の問題点を解決しようとするものである。
【課題を解決するための手段】
【０００４】（イ）扇状の本体（１）に折り目（２）、折り目（３）を設ける。
（ロ）本体（１）に差込側部（４）を設け、折り目（５）を設ける。
（ハ）本体（１）にエコ爪楊枝収納部（６）、差込口（７）を設ける。
以上のように構成された、箸先保護エコ爪楊枝収納具である。
【発明の効果】
【０００５】  箸の太さに関係なく箸先を保護することが出来、エコ爪楊枝も一緒に収納することができる。
本体を広げることにより、１枚の平面になり簡単に洗浄でき、清潔に保つことができる。
【発明を実施するための最良の形態】
【０００６】  本発明を実施するための形態を説明する。
（イ）扇状の本体（１）に折り目（２）、折り目（３）を設ける。
（ロ）本体（１）に差込側部（４）を設け、折り目（５）を設ける。
（ハ）本体（１）にエコ爪楊枝収納部（６）、差込口（７）を設ける。
以上のように構成された、箸先保護とエコ爪楊枝収納具である。
箸先保護とエコ爪楊枝収納具は、１枚の板材料を型抜きで成形する（図２）。
本体を折り目（２）、折り目（３）に沿って折る。
差込側部（４）を差込口（７）に差し込む。
図１に示すように斜視図になる。
このように本発明は、簡単に組み立てることができるので、１枚の板状にして汚れを残すことなく、洗浄し清潔に保つことができる。
抗菌性の材料を用いることにより、保護具としての機能が強化される。
また、箸先収納口は、広くなっているので箸の太さに関係なくどの箸でも使用できる。
本体（１）の収納部に箸（８）を入れ、エコ爪楊枝収納部（６）にエコ爪楊枝（５）を収納する（図３）。
エコ爪楊枝を収納することにより、差込側部を押さえる目的もあり箸（８）の収まりも良い。
このようにした物を箸袋などに入れて携帯でき、清潔に使用でき便利である。
【図面の簡単な説明】
【０００７】
【図１】  本発明の斜視図である
【図２】  本発明の平面図である
【図３】  本発明の使用状態を示した説明図である
【符号の説明】
【０００８】  １  本体
２  箸先収納口
３  折り目
４  差込側部
５  折り目
６  エコ爪楊枝収納部
７  差込口
８  箸
９  エコ爪楊枝
【図１】
2010075643.tif 000003
【図２】
2010075643.tif 000004
【図３】
2010075643.tif 000005
【手続補正書】
【提出日】平成20年11月20日(2008.11.20)
【手続補正２】
【補正対象書類名】特許請求の範囲
【補正対象項目名】全文
【補正方法】追加
【補正の内容】
【特許請求の範囲】
【請求項１】
箸の太さに関係なく使用する事が出来、エコ爪楊枝も一緒に収納する事を特徴とする箸先保護とエコ爪楊枝収納具。
【請求項２】
本体を広げる事により一枚の平面となり洗浄が簡単に清潔に出来る事を特徴とする箸先保護とエコ爪楊枝収納具。
(57)【要約】      （修正有）【課題】冷凍食品や豆腐から出る汁を回収したり、料理を冷やしたり温めたりできる器を提供する。【解決手段】器に料理を盛る場所と別に収納部を設け食材から出る絞り汁を回収したり、食材を氷、保冷剤等を使用し冷やしたり、生野菜等を洗浄しそのまま器に乗せても自然と水切れ出来て切れた水分は収納部内に入りこむ。炭火、懐炉、蝋燭火等を使用し温めたり出来る、又、蓋皿を受け皿にも使用でき、醤油やタレを注ぎ楽しく色々な事がたのしめる多機能器である。【選択図】図３
2010075650.tif 000002
【特許請求の範囲】
【請求項１】
高台腰（８）の下部に畳つき（４）の筒内に高台内（５）を設け、その上部に収納底（３）を溶着し、筒内上部に蓋皿支台（２）を成形し筒上部に収納部天場（１）を成形し、蓋皿高台（７）に溝口（１２）を設け蓋皿（６）成形した事を特徴する多機能器。
【請求項２】
収納部天場（１）に器腰（１０）と器見こみ（９）を成形し溶着する事を特徴する請求項１の多機能器。
【発明の詳細な説明】
【技術分野】
【０００１】  本発明は、絞れ汁を収納したり、料理を冷やしたり温めたりできる多機能器に関するものである。
【背景の技術】
【０００２】  従来、料理を皿や丼等に盛付けて使用していたが食物から不要な絞れ汁等を、そのまま食べたり、冷めた料理もそのまま食べていた。
【発明が解決しようとする課題】
【０００３】  従来、温かい食事が欲しいときは食べる直前に作るとかレンジで温める様になる、又、冷たい食物が欲しい時は、冷蔵庫で冷やしたり氷で冷やすなどの傾向になる、又、冷凍食品や豆腐から出る絞り汁等を解決するものである。
【課題を解決するための手段】
【０００４】  器を円筒にし底部を設け、その上部に収納部を形成し上部に蓋皿を設ける事を特徴とする多機能器である。
【０００５】  上記の上部に丸型の皿状ものや丼状のもの又は、角型の等形態に拘らず円筒状に合わせ高台や底部を省き溶着し蓋皿を置く事で多くの使用方法ができる多機能器である。
【発明の効果】
【０００６】  冷たい食物を長持ちさせて楽しむ時は、収納部内に氷や保冷材を入れ上部に蓋状の皿を置くことで蓋皿が冷えて美味しく楽しめる。
【０００７】  温かい食物を楽しむ時は、収納部内に炭火や懐炉又はロウソク等を使用する事により長く温かい食物を美味しく楽しめる。
【０００８】  多機能器を利用し生野菜等を洗浄しそのまま器に乗せても自然と水切れ出来て切れた水分は収納部内に入りこみ手間もはぶける。
【０００９】  冷凍食品の刺身や生物から解けだして出る汁等は非常に嫌なもので、この器を使う事により汁等は収納部内に入りこみ清潔感もいられる。
【００１０】  器見こみ部に食物を並べ収納部の蓋皿に味たれを添える事もできる便利な多機能である。
【発明を実施するたねの形態】
【００１１】  以下、本発明の実施の形態について図面を参照して説明する。
図１の高台腰８を円筒状に成形し収納底３を密接し円筒状の上部に蓋皿支台２を成形しその上部に収納部天場１を設け、蓋皿高台７に溝口１２を欠切し蓋皿６を成型する。
【００１２】  図２の高台内５の上部に収納底３を溶着し、その上部に蓋皿支台２成形しその上部に収納部天場１を設け円筒の下部に畳つき４を設けたもの。
【００１３】  図３の収納部内１１を高台腰８と器腰１０と畳つき４で外装し蓋皿６を嵌脱するようにし汁を収納部内１１に導く溝口１２を設ける。
【００１４】  図４の畳つき４の円筒上部の器腰１０と器見こみ９に溶着し丸型に形成したもの。
【００１５】  高台腰８の円筒上部に角型の器こみ９を溶着し中央部に蓋皿６を嵌脱するように設ける。
【図面の簡単な説明】
【００１６】
【図１】  本発明の斜視図
【図２】  本発明のＡ−Ａ断面斜視図
【図３】  本発明の一部Ｂ−Ｂ断面斜視図
【図４】  本発明の斜視図
【図５】  本発明の斜視図
【符号の説明】
【００１７】  １  収納部天場
２  蓋皿支台
３  収納底
４  畳つき
５  高台内
６  蓋皿
７  蓋皿高台
８  高台腰
９  器見こみ
１０  器腰
１１  収納部内
１２  溝口
【図１】
2010075650.tif 000003
【図２】
2010075650.tif 000004
【図３】
2010075650.tif 000005
【図４】
2010075650.tif 000006
【図５】
2010075650.tif 000007
(57)【要約】【課題】    １人で肩や背中、腰のマッサージを行う時にマッサージ器の上にあお向けに寝て、自分の体重をかけ押圧することによりマッサージ効果が得られる弾力性ボール入りマッサージ器【解決手段】  伸縮性の材質の生地からなる筒状の袋体の内部にゴム又は軟質樹脂からなる弾力性ボールを複数内蔵させ、袋体の両端に握り部を設け、該弾力性ボールが肩や背中、腰の各部位に当たるように、ボールの上にあお向けに寝て体重をかけ押圧することでマッサージ効果が得られることを特徴とする弾力性ボール入りマッサージ器【選択図】図１
2010075648.tif 000002
【特許請求の範囲】
【請求項１】
伸縮性材質の生地からなる円筒状の袋体の内部にゴム又は軟質樹脂からなる弾力性ボールを複数内蔵させ、袋体の両端に握り部を設け、該弾力性ボールが肩や背中、腰の各部位に当たるように、ボールの上にあお向けに寝て体重をかけて押圧することでマッサージ効果が得られることを特徴とする弾力性ボール入りマッサージ器
【発明の詳細な説明】
【技術分野】
【０００１】  本発明は、１人で肩や背中、腰のマッサージを行う時に、マッサージ器の上にあお向けに寝て、自分の体重をかけ押圧することでマッサージ効果が得られる弾力性ボール入りマッサージ器に関するものである。
【背景技術】
【０００２】  従来、肩や背中、腰のマッサージを行いたい時には、電動のマッサージ機を使用する方法かマッサージ店で施術を受ける方法がある。
【発明の開示】
【発明が解決しようとする課題】
【０００３】  そのために次のような問題点があった。
（イ）  電動のマッサージ機は高価な商品が多く、置く場所と電源が必要になる。
（ロ）  マッサージ店で施術を受けるには、店まで行かなければならず、その都度施術料もかかる。
本発明は以上の問題点を解決するためになされたものである。
【課題を解決するための手段】
【０００４】  伸縮性の材質の生地からなる円筒状の袋体の内部にゴム又は軟質樹脂からなる弾力性ボールを複数内蔵させ、袋体の両側に握り部を設け、移動しやすい様にし、１人でも肩や背中、腰のマッサージを楽な姿勢で手軽に行うことができるマッサージ器である。【０００５】  本発明は、１人で肩や背中、腰のマッサージを行いたい時に、楽な姿勢で手軽にマッサージ効果の得られるマッサージ器である。
【発明を実施するための最良の形態】
【０００６】  以下、本発明を実施するための最良の形態を説明する。
（イ）  伸縮性の材質の生地からなる円筒状の袋体（１）の内部に、ゴム又は発泡ポリウレタン等の軟質樹脂からなる弾力性ボール（２）を複数個内蔵させる。
（ロ）  袋体（１）の両端に、輪状の握り部（３）を設ける。
本発明は以上の構成からなり、使用する時は弾力性ボールが肩や背中、腰の各部位に当たるように、弾力性ボール（１）の上にあお向けに寝て両手で握り部（３）を持ち、上下に移動させながら体重をかけて押圧する。
これにより弾力性ボール（１）で肩や背中、腰をマッサージできる。
なお、本発明の他の実施例として図３に示すように、弾力性ボール（１）を内蔵した袋体（２）を２本平行にして並べ２本の袋体（２）の両端をとじ合わせて握り部（３）を設けることもできる。本発明を使用することにより、並列された弾力性ボール（１）で身体のより広い部分のマッサージを行う。
【図面の簡単な説明】
【０００７】
【図１】    本発明の斜視図
【図２】    本発明の断面図
【図３】    本発明の他の実施例を示す
【符号の説明】
【０００８】    １    円筒状の袋体
２    弾力性ボール
３    輪状の握り部
【図１】
2010075648.tif 000003
【図２】
2010075648.tif 000004
【図３】
2010075648.tif 000005
(57)【要約】【課題】  ゴム風船と笛体を結合し、空気噴出圧力で飛揚し且つ吹鳴音を発する玩具で、空気噴出終了後の自然落下により、安全や環境問題が発生する。【解決手段】  ゴム風船に結合する笛体の吹口の反対側端部に設けた扁平部の孔に糸を通して結び、空気噴出終了時にその糸を操作して、自然落下を防ぎ玩具を回収する。【選択図】図１
2010075647.tif 000002
【特許請求の範囲】
【請求項１】
ゴム風船の空気吹込み口と笛体の吹口を結合し、笛体の笛孔より吹鳴音を発しながら排出される空気の噴出圧力で上空へ飛揚する玩具において、笛体の吹口の反対側端部に、糸を通す孔をもつ扁平部を設けたことを特長とする笛付飛行風船玩具。
【発明の詳細な説明】
【技術分野】
【０００１】  本発明は、ゴム風船と笛体を結合し、空気噴出圧力で飛揚し、且つ吹鳴音を発する玩具に関するものである。
【背景技術】
【０００２】  従来より、ゴム風船と笛体を結合し、空気噴出圧力で飛揚し、且つ吹鳴音を発する飛行風船玩具がある。（特許文献１参照）
【特許文献１】実用新案登録第３０８１２７６号公報
【発明の開示】
【発明が解決しようとする課題】
【０００３】  従来の飛行風船玩具は、空気噴出が終わって飛揚が終了後そのまま下降し、電柱・電線や樹木・建築物等に落下したり引っ掛かって、環境問題や電気施設に与える危険性、又道路上でも交通安全上の問題を引き起こす危険性がある。
【課題を解決するための手段】
【０００４】  ゴム風船に結合する笛体の吹口の反対側端部に、糸を通す孔をもつ扁平部を設ける。
【発明の効果】
【０００５】  笛体端部に設けた扁平部の孔に糸を通して結び、その糸を操作して、飛揚の終わる笛付飛行風船玩具を回収する事により、自然の成りゆき次第の落下とそのために起り得る諸問題を防止し、又当該玩具を繰り返し使用することが出来る。
【発明を実施するための最良の形態】
【０００６】  以下、本発明の実施の形態について説明する。
筒状の笛体（３）の一端を吹口（４）とし、中間に笛孔（５）を設け、吹口（４）の反対側の端部に孔（６）をもつ扁平部（７）を設ける。  ゴム風船（１）と笛体（３）の結合は空気吹込口（２）に吹口（４）を嵌入する事によるが、嵌入部の離脱や空気漏れ防止のため、空気吹込口（２）の内周と吹口（４）の外周は相互に係合する環状の凹凸條や段を付設する。
本発明を使用するときは、笛体（３）の孔（６）に糸を通して結び、次に空気吹込口（２）より空気を吹き込んでゴム風船（１）を膨らませ、笛孔（５）を指で塞いで吹口（４）を空気吹込口（２）に嵌入して結合し、次に笛孔（５）を開放すると、笛孔（５）より空気を噴出と同時に吹鳴音を発し、本発明品を上方に投げ上げると噴出圧力が弱まるまで飛揚と飛行を続ける。噴出が終了する時を見定めて糸を引き戻し、本発明品を回収する。
【図面の簡単な説明】
【０００７】
【図１】  本発明の斜視図
【図２】  本発明の笛体部分の拡大平面図
【符号の説明】
【０００８】  １  ゴム風船
２  空気吹込口
３  笛体
４  吹口
５  笛孔
６  孔
７  扁平部
【図１】
2010075647.tif 000003
【図２】
2010075647.tif 000004
(57)【要約】      （修正有）【課題】ＣＯＰ（能力÷消費電力）の効率が良い電気利用による加熱装置は、熱の相転移により大気の熱を利用するヒートポンプしか現在の所ないが、ヒートポンプは冷媒を必要とする為環境に良い製品とはいい難く、また、構造が複雑である。【解決手段】回転板２に永久磁石３を取り付け回転させることにより磁束が変化し、電磁誘導により発熱板４に渦電流が発生する。回転板２の磁束の変化は発熱板４の渦電流に変化し、熱エネルギーに変換され発熱板４を暖める。暖められた熱をファン６等で大気中に取り出す。構造も永久磁石３を回転させるだけなのでシンプルである。また、発熱板４の発生熱を高めるには、良導電体で熱を一定温度まで高める熱伝導率の低いものが良く、アルミの効率が高い。アルミ等を発熱板４として使用することにより有効にＣＯＰを上げることができる。【選択図】図１
2010257921.tif 000002
【特許請求の範囲】
【請求項１】
回転板に永久磁石を取り付け高速度で回転させることにより、取り付けられた磁石の磁束の変化により、固定された発熱板に渦電流が発生する。回転板の磁束の変化（運動エネルギーによる）は発熱板の渦電流に変化し、発熱板は固定されている為、その電流の損失により熱エネルギーに変換され発熱板を暖める。暖められた熱をファンや放熱板等で大気中に取り出す事を特徴とする磁束を変化させる運動エネルギーの熱エネルギーへの変換取り出し装置
【請求項２】
発熱板の発生熱を高める為には、磁力により渦電流を発生させ易い良導電体で、熱を一定温度まで高める熱伝導率の低いものが良い。それぞれの金属は一長一短あるが、アルミの効率が高い。アルミ等の効率の良い金属を発熱板として使用することにより有効にＣＯＰを上げることができる事を特徴とする請求項１記載の磁束を変化させる運動エネルギーの熱エネルギーへの変換取り出し装置
【請求項３】
熱を取り出す為には、空気は熱伝導率が低い為、ファン等により空気の流れを作る。発熱板にスリットを入れることにより発熱板の表面からの熱移動の効率を上げる。スリットは発熱板の中心から外側に向かって入れる事により電流の流れを妨げず有効に渦電流を発生させることが出来る。また、回転板への熱伝導を抑え温度を上げない事により磁石の熱による減磁を防ぐ事を特徴とする請求項２記載の磁束を変化させる運動エネルギーの熱エネルギーへの変換取り出し装置
【請求項４】
熱は高い所から低いところに移動する為、ファンからの空気の流れを、空気より熱伝導率が良く大気との接触面積の大きい放熱板内部を通過させる事により、熱の移動速度を上げることが出来る。また、ファンは空気の汲み出しにより、低圧部を作り、低圧部は気温の低下や空気の流れを作る。これらにより熱の伝導効率が増し効率的に熱を取り出すことが出来る事を特徴とする請求項３記載の磁束を変化させる運動エネルギーの熱エネルギーへの変換取り出し装置
【発明の詳細な説明】
【技術分野】
【０００１】  本発明は、永久磁石の回転により磁束を変化させる運動エネルギーの熱エネルギーへの変換取り出し装置に関する。
【背景技術】
【０００２】  鉄道車両で使われる電磁ブレーキの一種として、渦電流式ブレーキがある。渦電流式ブレーキはレールに接近させてＮ−Ｓ極を前後に並べて電磁石を設置し、ブレーキ力が必要な時にこれを励磁して、磁力でレールに渦電流を発生させてレンツの法則によるブレーキ力を得る。【０００３】  渦電流による熱発生装置としては、渦電流が流れる金属の抵抗によるジュール熱を利用する電磁調理器などがある。
【発明の概要】
【発明が解決しようとする課題】
【０００４】  電気利用による加熱装置は色々とあるが、ＣＯＰ（能力÷消費電力）の効率が良い装置は、熱の相転移により大気の熱を利用するヒートポンプしか現在の所ない。ヒートポンプは冷媒を必要とする為、環境に良い製品とはいい難い。また、構造が複雑になる。【０００５】  渦電流式ブレーキは、電磁石の利用であり、また、発熱を取り出す装置ではない。【０００６】  渦電流による熱発生装置としては、渦電流が流れる金属の抵抗によるジュール熱を利用する電磁調理器などがあるが、回転による磁束の変化（運動エネルギー）を熱エネルギーに変換するものではないく、大気中に熱を取り出す装置ではない。
【問題を解決する為の手段】
【０００７】  上述の課題を解決する為、本発明は、回転板に永久磁石を取り付け高速度で回転させることにより、並べられた磁石の磁束の変化により固定された発熱板に渦電流が発生する。発熱板は固定されている為、回転板の運動エネルギーは発熱板の渦電流に変化し、その電流の損失により熱エネルギーに変換され発熱板を暖める。暖められた熱をファン等で大気中に取り出す。本発明によりＣＯＰを上げることができる。また、構造も永久磁石を回転させるだけの為、非常にシンプルである。
【０００８】  発熱板の発生熱を高める為には、磁力により渦電流を発生させる良導電体で、熱を一定温度まで高める熱伝導率の低いものが良い。それぞれの金属は一長一短あるが、アルミの効率が高い。アルミを発熱板として使用することにより有効にＣＯＰを上げることができる。
【０００９】熱を取り出す為には、空気は熱伝導率が低い為、ファン等により空気の流れを作る。発熱板にスリットを入れることにより発熱板の表面からの熱移動の効率を上げる。スリットは発熱板の中心から外側に向かって入れる事により電流の流れを妨げない。また、回転板の温度を上げない事により磁石の熱による減磁を防ぐ。
【００１０】熱は高い所から低いところに移動する為、ファンからの空気の流れを空気より熱伝導率が良く、大気との接触面積の大きい放熱板内部を通過させる事により、熱の移動速度を上げる。また、ファンは空気の汲み出しにより、低圧部を作り、低圧部は気温の低下や空気の流れを作る。これらにより熱の伝導効率が増し効率的に熱を取り出すことが出来る
【発明の効果】
【００１１】  以上説明したように本発明によれば、ＣＯＰを上げることができる為、電気の使用による熱効率を高めることが出来る。暖房コストの削減、二酸化炭素の発生がないなど環境にも良い。また、構造がシンプルな為、低価格で製造でき、耐用年数が長い。
【図面の簡単な説明】
【００１２】
【図１】  回転板、発熱板、放熱板、ファンの立面からの模式図。
【図２】  発熱板のスリット方向の模式図
【発明を実施する為の形態】
【００１３】  以下、本発明の実施の形態を模式図に基づき説明する。
【００１４】  永久磁石を貼り付けた回転板の回転により、磁束を変化させ、その磁束変化により渦電流を発生させる事ができる発熱板とその発生熱を効率的に取り出す為の放熱板とファンからなる模式図と発熱板のスリット方向の模式図である。
【００１５】本発明の実施の形態を模式図で説明したが、本発明はこの形態に限るものではない。
【符号の説明】
【００１６】  １、モーター
２、回転板
３、永久磁石
４、発熱板
５、放熱板
６、ファン
７、吐出口
８、スリット
【図１】
2010257921.tif 000003
【図２】
2010257921.tif 000004
(57)【要約】【課題】  本願発明は、利便性の高い投光機を提供することにある。【解決手段】  投光機１０は、車両２０の上（屋根）に設けられたソーラーパネル４０と、前記ソーラーパネルから発電された電気の充電先を制御するためのコントローラー５０と、前記電気を投光機１０のバッテリー１１或いは車両２０のバッテリー２１に蓄電するための充電器６０とを備える。【選択図】  図１
2010257849.tif 000002
【特許請求の範囲】
【請求項１】
ソーラーパネルから電気の供給を受ける投光機であって、
前記ソーラーパネルは車両又は重機に設けられるとともに、ソーラーパネルから発電された電気の充電先を制御するためのコントローラーと、前記電気を投光機或いは車両又は重機のバッテリーに蓄電するための充電器とを備えたことを特徴とする投光機。
【請求項２】
前記コントローラーを投光機に内蔵したことを特徴とする請求項１記載の投光機。
【請求項３】
前記コントローラーと前記充電器を内蔵したことを特徴とする請求項１又は２記載の投光機。
【発明の詳細な説明】
【技術分野】
【０００１】
本願発明は、ソーラーパネルから電気の供給を受ける投光機に関するものである。
【背景技術】
【０００２】
夜間の作業・工事やイベントなどで照明装置として使用される「投光機」として特許文献１に記載のものがある。特許文献１は、商用電源を使用することができない場合でも発電時の騒音の発生を防止し、点灯可能な移動式投光機を提供することを目的として、照明として使用する移動式投光機において、照明灯と、電力を蓄積して供給する蓄電池と、照射される光によって電力を発生させる太陽光発電装置と、日照がある場合に前記太陽光発電装置によって発生された電力を前記蓄電池に供給して充電し、灯光が必要な場合に前記蓄電池から放電して前記照明灯へ電力を供給するように充放電制御を行うコントローラとを有することを特徴とするものである。
【先行技術文献】
【特許文献】
【０００３】
【特許文献１】特開２００６−３５１４８６号公報
【発明の概要】
【発明が解決しようとする課題】
【０００４】
本願発明もソーラーパネルから電気の供給を受ける点では共通するが、特許文献１無い構造・機能を備えて、利便性の高い投光機を提供するものである。
【課題を解決するための手段】
【０００５】
本願発明の第１の発明は、ソーラーパネルから電気の供給を受ける投光機であって、前記ソーラーパネルは車両又は重機に設けられるとともに、ソーラーパネルから発電された電気の充電先を制御するためのコントローラーと、前記電気を投光機或いは車両又は重機のバッテリーに蓄電するための充電器とを備えたことを特徴とするものである。
第２の発明は、前記コントローラーを投光機に内蔵したことを特徴とする同投光機である。
第３の発明は、前記コントローラーと前記充電器を内蔵したことを特徴とする同投光機である。
【発明の効果】
【０００６】
本願発明によれば、以下のような効果を有する。
（１）ソーラーパネルから電気の供給を受ける投光機であるため、ＣＯ２が出ない、音が出ないといった極めて環境に優しい投光機を提供できる。
（２）ソーラーパネルを車両又は重機に設けているため、投光機の移動が極めて容易である。
（３）コントローラーと充電器を備えているため、投光機の充電で余った電気を車両又は重機のバッテリーに充電でき、ソーラーパネルで発電した電気を有効利用できる。
（４）コントローラーや充電器を投光機に内蔵することで、使い勝手が良くなる。
【図面の簡単な説明】
【０００７】
【図１】本願発明の第１実施形態を示す説明図。
【図２】本願発明の第２実施形態を示す説明図。
【発明を実施するための形態】
【０００８】
本願発明の実施形態を図面に基づいて説明する。
図１は、本願発明の第１実施形態を示す説明図である。
図１に示す第１実施形態は、車両２０の上（屋根）にソーラーパネル４０を設けたものである。投光機１０は、ソーラーパネル４０から発電された電気の充電先を制御するためのコントローラー５０と、前記電気を投光機１０のバッテリー１１或いは車両２０のバッテリー２１に蓄電するための充電器６０とを備える。
【０００９】
また、図２に示す第２実施形態は、重機３０の上（屋根）にソーラーパネル４０を設けたものである。投光機１０は、ソーラーパネル４０から発電された電気の充電先を制御するためのコントローラー５０と、前記電気を投光機１０のバッテリー１１或いは重機３０のバッテリー３１に蓄電するための充電器６０とを備える。
【００１０】
ここで、ソーラーパネル４０は、車両２０や重機３０の上（屋根）ではなく、その他の部分（例えば、横など）に設けてもよい。また、ソーラーパネル４０は車両２０や重機３０以外の場所（例えば、構築物など）に設けてもよい。さらに、コントローラー５０または、コントローラー５０及び充電器６０は、投光機１０に内蔵したものであってもよい。
【産業上の利用可能性】
【００１１】
本願発明は、夜間の作業・工事やイベントなどで照明装置として広く利用できるものである。
【符号の説明】
【００１２】
１０  投光機    １１  バッテリー
２０  車両      ２１  バッテリー
３０  重機      ３１  バッテリー
４０  ソーラーパネル
５０  コントローラー
６０  充電器
【図１】
2010257849.tif 000003
【図２】
2010257849.tif 000004
(57)【要約】【課題】ヒューズベースとその製造工程を提供する。【解決手段】本発明のヒューズベースとその製造工程は、主に、人工方式であったベース製造工程を、全機械自動作業により代替するもので、ベースの製造工程は、金属線材料を作業台上に放置し、一定長さの二リード線に切り、型押し構造を形成し、成型済みのベース本体に設置し、リード線とベース本体を結合し、リード線を平坦にして、製品を完成させる。ヒューズベースは、本体、および、二リード線からなり、主に、本体左右に頂底面が貫通する接合孔を設置し、接合孔底端はラッパ状の導孔を形成し、二リード線の頂端近接部に、平坦な型押し構造を形成し、自動化機械設備により、リード線を導孔端からベース本体の接合孔内に挿入し、型押し構造により固定され、製品が完成する。【選択図】図９
2010257726.tif 000002
【特許請求の範囲】
【請求項１】
ヒューズベースとその製造工程であって、前記ヒューズベースの製造工程は、金属線材料を作業台上に放置し、一定長さの二リード線に切り、型押し構造を形成し、成型済みのベース本体に設置し、リード線とベース本体を結合し、リード線を平坦にして、製品を完成させることを特徴とするヒューズベースとその製造工程。
【請求項２】
ヒューズベースとその製造工程であって、前記ヒューズベースは、本体、および、二リード線からなり、主に、前記本体左右に頂底面が貫通する接合孔を設置し、前記接合孔底端はラッパ状の導孔を形成し、前記の二リード線の頂端近接部に、平坦な型押し構造を形成し、自動化機械設備により、前記リード線を前記導孔端から前記ベース本体の前記接合孔内に挿入し、前記型押し構造により固定され、完成することを特徴とするヒューズベースとその製造工程。  
【発明の詳細な説明】
【技術分野】
【０００１】
本発明は、ヒューズベースとその製造工程に関するものであって、特に、人工方式であったベース製造工程を、全機械自動作業により代替して、ベース製造工程の構造が、全自動化の機械作業に適用できるヒューズベースとその製造工程に関するものである。
【背景技術】
【０００２】
一般に、ヒューズには、図１、および、図２で示されるような方形、および、円形の二種の形態があり、更に、図３で示されるように、ヒューズは、主に、本体１０と本体１０を貫通する二本のリード線２０により構成されるベース１、および、蓋体２、からなる。本体１０を貫通する二リード線２０によりピン２２を形成し、更に、一組のヒューズ３０を挟置する。蓋体２によりヒューズベース１０を完全に蓋する。
公知のヒューズベースとその製造工程が、図４〜図６で示され、まず、人工により、金属線材料を作業台上に放置し、線を引いて、等しい長さの二リード線２０に切り、ピン２２の近接箇所に、平坦状の型押し構造２１を形成する。続いて、人工の方式により、二リード線２０を、本体１０を製造する金型に置いて、射出成型し、ベース１の製造を完成させる。このようなベース１の製造工程は、大部分が人工の方式で実行され、特に、二リード線２０は人工の方式で金型に設置されるので、人為的ミスが生じやすく、リード線２０が歪んだり、長さが不等である等の状況が生じ、製品の瑕疵や損壊率が高い欠点がある。
【発明の概要】
【発明が解決しようとする課題】
【０００３】
本発明は、ヒューズベースとその製造工程を提供し、上述の問題を解決することを目的とする。
【課題を解決するための手段】
【０００４】
本発明のヒューズベースの製造工程は、主に、人工で行っていた作業を全機械自動作業により代替するものである。ベースの製造工程は、金属線材料を作業台上に放置し、一定長さの二リード線に切り、型押し構造を形成し、成型済みのベース本体に設置し、リード線とベース本体を結合し、リード線を平坦にして、製品を完成させる。
【発明の効果】
【０００５】
本発明は、人工の方式でなく、自動化機械設備により、リード線を導孔端からベース本体の接合孔内に挿入することができるので、ベース製造時、本体とリード線の接合が人工操作によるミスを防止し、製品の瑕疵や損壊率を減少させる。
【図面の簡単な説明】
【０００６】
【図１】方形ヒューズの外観図である。
【図２】円形ヒューズの外観図である。
【図３】ヒューズの組成構造図である。
【図４】公知のヒューズのベースの製造工程図である。
【図５】公知のヒューズベースの構成図である。
【図６】公知のヒューズベースの構成図である。
【図７】本発明のヒューズのベースの製造工程図である。
【図８】本発明のヒューズベースの製造工程実施説明図である。
【図９】本発明のヒューズベースの構造分解図である。
【図１０】本発明のヒューズベースの構成図である。
【図１１】本発明のヒューズベースの構成図である。
【図１２】本発明のヒューズベースの断面図である。
【発明を実施するための形態】
【０００７】
図７、および、図８で示されるように、本発明のヒューズベースの製造工程は、まず、機械補助、或いは、人工の方式で、金属線材料を全機械自動作業システムの左右作業台上に放置し、続いて、機具により線を引いて、長さが等しい二リード線に切り、自動シフトさせるとともに、機具により、二リード線の末端に近い箇所に、型押し構造を形成し、更に、機具により、成型済みのベース本体の接合領域に設置し、機具により、自動で、二リード線とベース本体を結合し、続いて、シフトさせて、機具により結合されたベースの二リード線を平坦にして、製品を完成させる。
図９〜図１２で示されるように、ベース１製品は、本体１０、および、二リード線２０からなり、本体１０左右に、頂底面が貫通する接合孔１１を設置し、接合孔１１底端はラッパ状の導孔１２を形成し、二リード線２０の頂端に近い箇所に、平坦な型押し構造２１を形成し、自動化機械設備により、リード線２０を、導孔１２から本体１０の接合孔１１内に挿入して、リード線２０の型押し構造２１により接合孔１１内で固定し、二リード線２０頂端が接合孔１１外に露出して、ピン２２を形成して、平坦にする。ベース製造時、本体とリード線の接合は、人工操作によるミスが生じないので、製品の瑕疵や損壊率を減少させることができる。
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【０００８】
ベース１
蓋体２
本体１０
接合孔１１
導孔１２
リード線２０
型押し構造２１
ピン２２
ヒューズ３０
【図１】
2010257726.tif 000003
【図２】
2010257726.tif 000004
【図３】
2010257726.tif 000005
【図４】
2010257726.tif 000006
【図５】
2010257726.tif 000007
【図６】
2010257726.tif 000008
【図７】
2010257726.tif 000009
【図８】
2010257726.tif 000010
【図９】
2010257726.tif 000011
【図１０】
2010257726.tif 000012
【図１１】
2010257726.tif 000013
【図１２】
2010257726.tif 000014